(57)【要約】  本発明は、寝床から座板へ、または座板から寝床へ、介護人が動作不自由者を抱き上げなくても簡単に運ぶことができ、排便用の椅子と車椅子としても使用が可能な、動作不自由者用の風呂椅子に関する。本発明に係る動作不自由者用の風呂椅子は、椅子フレームに座席と背もたれがそれぞれ備えられ、座席の下に伸びた椅子フレームの足の部分に移動ホイールが設けられている動作不自由者用の風呂椅子において、椅子フレームは、移動ホイールが備えられている組み立て式の下部フレーム１００Ｂと、組み立て式の下部フレームに対して高さの調節が可能に結合された組み立て式の上部フレーム１００Ａと、で構成され、座席は座板組立体２００で構成され、座板組立体２００は組み立て式の上部フレーム１００Ａ上に設けられるガイドチャンネル部材２１０と、ガイドチャンネル部材２１０のチャンネル２１２に沿って一方向のみに引き出されるようにガイドチャンネル部材にスライド自在に設けられるガイドレール２２０と、ガイドチャンネル部材のチャンネル２１２を覆う形態でガイドチャンネル部材２１０上にスライド自在に設けられて一方向のみに引き出される座板２３０と、で構成されていることを特徴とする。【選択図】図４
2016517713.tif 000002
【特許請求の範囲】
【請求項１】
椅子フレームに座席と背もたれがそれぞれ備えられ、座席の下に伸びた椅子フレームの足の部分に移動ホイールが設けられている動作不自由者用の風呂椅子において、
前記椅子フレームは一体型フレーム１００で構成され、
前記背もたれは座板組立体２００で構成され、
座板組立体２００は、
一体型フレーム１００上に設けられるガイドチャンネル部材２１０と、
ガイドチャンネル部材２１０のチャンネル２１２に沿って一方向のみに引き出されるように、ガイドチャンネル部材にスライド自在に設けられるガイドレール２２０と、
ガイドチャンネル部材のチャンネル２１２を覆う形態でガイドチャンネル部材２１０上にスライド自在に設けられて一方向のみに引き出される座板２３０と、
で構成されており、
座板２３０を押した場合、座板組立体２００のガイドレール２２０と座板２３０が互いに干渉して、座板２３０が押される方向に両方が同時に引き出されるようにする係り止め突起２２１または係り止め突起２３１が、ガイドレール２２０や座板２３０のうち、何れか一つに形成されていることを特徴とする、動作不自由者用の風呂椅子。
【請求項２】
椅子フレームに座席と背もたれがそれぞれ備えられ、座席の下に伸びた椅子フレームの足の部分に移動ホイールが設けられている動作不自由者用の風呂椅子において、
前記椅子フレームは、移動ホイールが備えられている組み立て式の下部フレーム１００Ｂと、組み立て式の下部フレームに対して高さの調節が可能に結合される組み立て式の上部フレーム１００Ａと、で構成され、
前記座席は座板組立体２００で構成され、
座板組立体２００は、
組み立て式の上部フレーム１００Ａ上に設けられるガイドチャンネル部材２１０と、
ガイドチャンネル部材２１０のチャンネル２１２に沿って一方向のみに引き出されるようにガイドチャンネル部材にスライド自在に設けられるガイドレール２２０と、
ガイドチャンネル部材のチャンネル２１２を覆う形態でガイドチャンネル部材２１０上にスライド自在に設けられて一方向のみに引き出される座板２３０と、
で構成されており、
座板２３０を押した場合、座板組立体２００のガイドレール２２０と座板２３０が互いに干渉して、座板２３０が押される方向に両方が同時に引き出されるようにする係り止め突起２２１または係り止め突起２３１がガイドレール２２０や座板２３０のうち、何れか一つに形成されていることを特徴とする、動作不自由者用の風呂椅子。
【請求項３】
ガイドレール２２０と座板２３０は、背もたれ１５０の前方に引き出されることを特徴とする、請求項２に記載の動作不自由者用の風呂椅子。
【請求項４】
座板２３０は、
お尻が当接する部分に開口２３４が形成され、
開口２３４の周りに沿って支持リム２３５が形成され、
支持リム２３５上に回転板２３８が載せられている構成であることを特徴とする、請求項１から３までの何れかに記載の動作不自由者用の風呂椅子。
【請求項５】
支持リム２３５と回転板２３８との間に環状の軸受け板２３７が挿入及び配置されていることを特徴とする、請求項４に記載の動作不自由者用の風呂椅子。
【請求項６】
回転板２３８は、尻が当接する部分に、排水兼用の排便孔２３９が形成されていることを特徴とする、請求項５に記載の動作不自由者用の風呂椅子。
【請求項７】
回転板２３８の周りの一支店に固定溝２３６または固定具２４０が更に備えられ、
開口２３４の周りの一支店には、前記固定溝に対応される固定具２４０または固定具に対応される固定溝２３６が形成されていることを特徴とする、請求項６に記載の動作不自由者用の風呂椅子。
【請求項８】
便器３００結合用スライド２６０が座板２３０の底面に更に設けられていることを特徴とする、請求項７に記載の動作不自由者用の風呂椅子。
【発明の詳細な説明】
【技術分野】
【０００１】
本発明は、寝床から座板へ、または座板から寝床へ、介護人が動作不自由者を抱き上げなくても簡単に運ぶことができ、排便用の椅子と車椅子としても使用可能な、動作不自由者（老若者と肢体不自由者）用の多用途の風呂椅子に関する。
【背景技術】
【０００２】
本発明の先行技術として、例えば、特許文献１には、肢体不自由者のための風呂椅子が開示されている。
【０００３】
この風呂椅子は、図１に示すように、ホイール２２が付いている４個の足２１がサドル１３の底面の四隅に設けられ、サドルの背面に背もたれ１２が結合され、背もたれの背面の上端に取っ手１５が備えられ、この背もたれとサドルとの間には左右両側に肘掛け３０と安全ガード４０が形成され、サドルを横切って安全ベルト手段５１、５２が備えられ、さらにサドルと背もたれには多数の排水孔１１が開放されている。
【０００４】
しかし、この構成によると、肢体不自由者がいる場所（例えば、寝床の近く）まで風呂椅子を置いても、結局は、介護人が肢体不自由者を抱き上げて風呂椅子の上に移さなければならない。肢体不自由者が体重の重い人である場合、これは介護人にとって非常に大変なことになる。
【０００５】
本発明の他の先行技術として、例えば、特許文献２には、肢体不自由者のための風呂及び排便用椅子が開示されている。
【０００６】
この椅子は、図２に示すように、中央に排便孔６１が開放されており、また、ホイールを備えた４個の足６２が下面の四隅に配置された着席板６０と、一定の角度範囲内で旋回ができるように着席板の後方に結合された背もたれ７０と、背もたれの左右側に設けられた肘掛け７１と、一定の角度範囲内で旋回ができるように着席板の前方に結合された足受け板８０と、着席板と所定の間隔を空けて排便孔６１の下方に配置された便器９０と、着席板と便器との間の間隔にスライド自在に挿入された排便孔カバー９１と、で構成されている。
【０００７】
しかし、特許文献１の風呂椅子と同様に、特許文献２の椅子も、肢体不自由者を着席板上に座らせるためには、介護人が肢体不自由者を抱き上げなければならないという短所がある。
【先行技術文献】
【特許文献】
【０００８】
【特許文献１】大韓民国特許登録第１０−１１４０３６４号
【特許文献２】大韓民国実用新案登録第２０−０１６６１１９号
【発明の概要】
【発明が解決しようとする課題】
【０００９】
本発明は、上述した従来の風呂椅子の短所を解決するために提案されたものであって、介護人が動作不自由者を抱き上げなくても、寝床から座板へ、または座板から寝床へ動作不自由者を運ぶことができるように構成した風呂椅子を提供することに目的がある。
【００１０】
また、本発明は、排便用の椅子と車椅子としても利用可能な多用途の風呂椅子を提供することに目的がある。
【課題を解決するための手段】
【００１１】
本発明が提案する動作不自由者用の風呂椅子の構成上の特徴は、次のようである。
【００１２】
［１］椅子フレームに座席と背もたれがそれぞれ備えられ、座席の下に伸びた椅子フレームの足の部分に移動ホイールが設けられている動作不自由者用の風呂椅子において、椅子フレームは一体型フレームで構成され、座席は座板組立体で構成され、座板組立体は一体型フレーム上に設けられるガイドチャンネル部材と、ガイドチャンネル部材のチャンネルに沿って一方向に引き出されるようにガイドチャンネル部材にスライド自在に設けられるガイドレールと、ガイドチャンネル部材のチャンネルを覆う形態でガイドチャンネル部材上にスライド自在に設けられて一方向に引き出される座板と、で構成されていることを特徴とする、動作不自由者用の風呂椅子。
【００１３】
［２］椅子フレームに座席と背もたれがそれぞれ備えられ、座席の下に伸びた椅子フレームの足の部分に移動ホイールが設けられている動作不自由者用の風呂椅子において、椅子フレームは、移動ホイールが備えられる組み立て式の下部フレームと、組み立て式の下部フレームに対して高さの調節が可能に結合される組み立て式の上部のフレームと、で構成され、座席は座板組立体で構成され、座板組立体は組み立て式の上部フレーム上に設けられるガイドチャンネル部材と、ガイドチャンネル部材のチャンネルに沿って一方向に引き出されるようにガイドチャンネル部材にスライド自在に設けられるガイドレールと、ガイドチャンネル部材のチャンネルを覆う形態でガイドチャンネル部材上にスライド自在に設けられて一方向に引き出される座板と、で構成されていることを特徴とする、動作不自由者用の風呂椅子。
【００１４】
［３］前記［１］と［２］において、ガイドレールと座板は背もたれの前方に引き出されることを特徴とする、動作不自由者用の風呂椅子。
【００１５】
［４］前記［１］ないし［３］において、座板はお尻が当接する部分に開口が形成され、開口の周りに沿って支持リムが形成され、支持リム上に回転板が載せられている構成であることを特徴とする、動作不自由者用の風呂椅子。
【００１６】
［５］前記［１］ないし［４］において、支持リムと回転板との間に、環状の軸受け板が配置されていることを特徴とする、動作不自由者用の風呂椅子。
【００１７】
［６］前記［１］ないし［５］において、回転板はお尻が当接する部分に、排水兼用の排便孔が形成されていることを特徴とする、動作不自由者用の風呂椅子。
【００１８】
［７］前記［１］ないし［６］において、回転板の周りの一支店に固定溝または固定具が備えられ、開口の周りの一支店には前記固定溝に対応される固定具または固定具に対応される固定溝が形成されていることを特徴とする、動作不自由者用の風呂椅子。
【００１９】
［８］前記［１］ないし［７］において、ガイドレールと座板が同時に引き出されるようにする係り止め突起がガイドレールと座板との何れか一つに形成されていることを特徴とする、動作不自由者用の風呂椅子。
【００２０】
［９］前記［１］ないし［８］において、便器結合用スライドが座板の底面に更に設けられていることを特徴とする、動作不自由者用の風呂椅子。
【発明の効果】
【００２１】
本発明に係る動作不自由者用の風呂椅子の構成は上述した通りなので、次のような作用及び効果を有する。
【００２２】
前記［１］の構成によると、寝床に寝て過ごす動作不自由者を寝床の一末端の近くで横に寝かせた上、座板組立体の座板を寝床の方に引き出して動作不自由者のお尻の部分が座板に跨るようにし、その状態で介護人が動作不自由者の上体を起こし立てて座板上で９０°に回し、動作不自由者の背が風呂椅子の背もたれの方に向かうようにした上、動作不自由者が座っている姿勢のままで座板を元の場所へ押し入れることで、介護人が動作不自由者を抱き上げなくても、寝床から座板へ、または座板から寝床へ動作不自由者を簡単に運ぶことができる。
【００２３】
前記［２］の構成によると、前記［１］の作用及び効果に加えて、寝床の方に引き出す座板の高低を寝床の高さに応じて適切に調節することができるので、動作不自由者を更に安楽かつ安全に風呂椅子の座板上に運ぶことができる。
【００２４】
前記［３］の構成によると、前記［１］と［２］の作用及び効果に加えて、寝床の方に座板を更に引き出すことができるので、過度に寝床の角の近くで動作不自由者を横に寝かせなくても良い。
【００２５】
前記［４］の構成によると、前記［１］ないし［３］の作用及び効果に加えて、座板上に座らせた動作不自由者を容易に何れかの一方に回して座らせることができる。
【００２６】
前記［５］の構成によると、前記［１］ないし［４］の作用及び効果に加えて、回転板が環状の軸受け板の上で更に円滑に回転されることができるため、介護人がより少ない力を使用して、座板上に座った動作不自由者を更に容易に回して座らせることができる。
【００２７】
前記［６］の構成によると、前記［１］ないし［５］の作用及び効果に加えて、回転板の中央部分に開放されている排水兼用の排便孔を通じて更に簡単に排水処理と排便処理を行うことができる。
【００２８】
前記［７］の構成によると、前記［１］ないし［６］の作用及び効果に加えて、固定具と固定溝との結合及び結合解除によって回転板の運動（回転）をコントロールすることができる。
【００２９】
前記［８］の構成によると、前記［１］ないし［７］の作用及び効果に加えて、座板とガイドレールのうち、何れか一方に備えられた係り止め突起を媒介として、両者が同じ方向に同時に引き出される。
【００３０】
前記［９］の構成によると、前記［１］ないし［８］の作用及び効果に加えて、便器が座板の底面にスライド結合されることができるので、排便を綺麗に処理することができる。
【００３１】
本発明に係る動作不自由者用の風呂椅子のその他の構成と作用及び効果は、後述する実施例を通じて具体的に説明される。
【図面の簡単な説明】
【００３２】
【図１】従来の一例に係る肢体不自由者用の風呂椅子の斜視図である。
【図２】従来の他の一例に係る肢体不自由者用の風呂及び排便用椅子の斜視図である。
【図３】本発明の第１の実施例に係る動作不自由者用の風呂椅子の斜視図である。
【図４】本発明の第２の実施例に係る動作不自由者用の風呂椅子の斜視図である。
【図５】本発明の第３、実施例に係る動作不自由者用の風呂椅子の構成を示す分解斜視図である。
【図６】図５の縦断面図である。
【図７】本発明に係る動作不自由者用の風呂椅子の座板の下に便器がスライド結合された状態の縦断面図である。
【図８Ａ】本発明の第１の実施例に係る動作不自由者用の風呂椅子の使用状態図である。
【図８Ｂ】本発明の第１の実施例に係る動作不自由者用の風呂椅子の使用状態図である。
【図８Ｃ】本発明の第１の実施例に係る動作不自由者用の風呂椅子の使用状態図である。
【図８Ｄ】本発明の第１の実施例に係る動作不自由者用の風呂椅子の使用状態図である。
【図８Ｅ】本発明の第１の実施例に係る動作不自由者用の風呂椅子の使用状態図である。
【図９】本発明の第４の実施例に係る動作不自由者用の風呂椅子の縦断面図である。
【発明を実施するための形態】
【００３３】
以下、本発明に係る動作不自由者用の風呂椅子の様々な実施例について、添付の図面に基づいて具体的に説明する。
【００３４】
また、フレームは、金属製、好ましくはアルミニウム製であると仮定する。
【００３５】
尚、フレームは、背もたれを支持するフレーム部分が、座板組立体を支持するフレーム部分に対して固定された形態であっても良く、角度の調節が可能な形態であっても良い。よって、特許請求の範囲において、一体型フレームと組み立て式の上部フレームは、角度固定型と角度調節型との両方を含む形態であると定義する。
【００３６】
＜第１の実施例＞
添付の図３は、本発明の第１の実施例に係る動作不自由者用の風呂椅子の概略的な構成を示す斜視図である。
【００３７】
図面に示すように、本実施例に係る動作不自由者用の風呂椅子は、公知の鉄製の椅子フレームと同一であるか類似した形態の一体型フレーム１００と、この一体型フレーム１００上に設けられる座板組立体２００及び背もたれ１５０と、その他の付随的な構成要素と、で構成されている。
【００３８】
より具体的には、一体型フレーム１００は、４個の足を備えており、それぞれの足の末端には移動ホイールが設けられている。
【００３９】
４個の移動ホイールのうち、相対的に小さなサイズの２個の前輪１３０は、３６０°の回転が可能であり、所望する位置でホイールを停止させることができるロック手段が備えられている。それに対し、一体型フレームに脱付着の可能な２個の後輪１４０は前輪１３０より大きいため、高さの低い敷居などを容易に超えることができるようになっている。
【００４０】
また、一体型フレーム１００の左右側には肘掛け１１０が備えられているが、この肘掛け１１０は一体型フレーム１００に溶接されていても良く、ボルトなどの締結手段を用いて分解組み立てが可能に結合されていても良く、一側がヒンジで固定されて、必要に応じて背もたれの後方に反らしたり、背もたれの前方に降ろすことができるように構成されても良い。
【００４１】
また、２個の前輪１３０の間の棒には、後方に回し入れて収納することができる足場１７０が設けられている。
【００４２】
尚、足場１７０が設けられている棒上の他の棒には、上下に動かすことができるストッパー１８０が設けられている。このストッパー１８０により、ガイドレール２２０と座板２３０の動きがコントロールされる。例えば、図３に示すように、ストッパー１８０が下方に降ろされた場合には、ガイドレール２２０と座板２３０が背もたれ１５０の前方に引き出されることができるが、図８Ｅに示すように、ストッパー１８０が上方に反らされている場合には、ガイドレールと座板が前方にスライドされることができない。このストッパー１８０は、指で一回押せば下方に下がり、また押せば上方に突出されるワンタッチ方式であっても良く、指で摘み上げた上、適当な位置でピンを挿入して固定する手動式であっても良く、その他の公知された構成であっても良い。
【００４３】
また、背もたれ１５０が装着されているフレーム部分の上端部の後方には、介護人が風呂椅子を押しながら容易に移動することを可能にするハンドル１２０が備えられており、背もたれとハンドルとの間のフレーム部分には、両末端にベルクロが返し縫い処理された織物が頭台１６０用として巻き付けられている。この織物が巻かれるフレーム部分は、フレームの他の部分よりも小さな直径となるように縮径されているか、または溝が加工されている。
【００４４】
以上、第１の実施例に係る動作不自由者用の風呂椅子の一体型フレーム１００に関する説明を終え、以下は座板組立体２００について説明する。
【００４５】
本実施例に係る座板組立体２００は、図３と図５の例示から分かるように、一体型フレーム１００上に固定されるガイドチャンネル部材２１０と、ガイドチャンネル部材のチャンネル２１２に沿って背もたれの前方に引き出されるように、ガイドチャンネル部材にスライド自在に設けられるガイドレール２２０と、ガイドチャンネル部材のチャンネルを覆う形態でガイドチャンネル部材上にスライド自在に設けられて一方向のみに引き出される座板２３０と、で構成されている。さらに、この座板は、例えば、その表面が人体の屈曲形状に合わせて加工されている。
【００４６】
また、座板は、動作不自由者のお尻が当接する部分に円形の開口２３４が形成され、この開口の周りに沿って、座板の表面から少し陥没された形態に支持リム２３５が形成され、回転板２３８が支持リム上に環状の軸受け板２３７を介在して載せられた構造となっている。この回転板は、例えば３６０°の回転が可能である。
【００４７】
また、回転板はお尻が当接する部分に排水兼用の排便孔２３９が形成されており、回転板の周りの一支店に固定具２４０が備えられている。
【００４８】
さらに、この固定具に対応するように開口の周辺の一支店には固定溝２３６が形成されている。この固定溝は、例えば、座板の一部分を切り取ったり、座板の表面に深さの浅い溝を掘って形成することができる。
【００４９】
このような構成によって、固定具の一端部を固定溝２３６の内に進入させることで回転板２３８の回転を防止することができ、逆に、固定溝２３６の内に挿入された固定具の一端部を固定溝の外に押し出すことで回転板を回転させることができるようになる。
【００５０】
また、ガイドチャンネル部材の両側の外面には直線状のガイド溝２１１が形成されており、ガイド突起２３３を有する側壁２３２が座板の両側にそれぞれ備えられている。
【００５１】
このガイド突起は、ガイド溝内でスライド移動する。
【００５２】
また、ガイド溝のうち、少なくとも一つは、背もたれの近い方が塞がれているので、背もたれの後方に座板が抜け出されてしまうことは発生しない。
【００５３】
さらに、ガイドレールの前方の中央部分には係り止め突起２２１が突出しているところ、この係り止め突起は、例えば、介護人がガイドレールのみを先に引き出す場合には、指で撮める取っ手の役割をし、ガイドレールに沿って動く座板が、このような係り止め突起がない場合に、前方に抜け出されてしまうことを防止するストッパーの役割をし、介護人が座板に先に力を加えて、背もたれの前方に座板を押す場合には、座板とガイドレールとが互いに干渉されるようにして、座板とガイドレールが同じ方向へ同時に引き出されるようにする役割をする。
【００５４】
＜第２の実施例＞
添付の図４は、本発明の第２の実施例に係る動作不自由者用の風呂椅子の概略的な構成を示す斜視図である。
【００５５】
第１の実施例に比べて、本実施例に係る椅子フレームは、４個のホイールが備えられている組み立て式の下部フレーム１００Ｂと、この組み立て式の下部フレームに対して高低の調節が可能に結合された組み立て式の上部フレーム１００Ａと、で構成されているという点のみが違っており、その他の構成要素は第１の実施例で説明した通りである。
【００５６】
互いに重なり合う下部フレームと上部フレームの足の部分には、例えば、５ｍｍ〜１ｃｍの間隔で高さ調節孔１９０が形成されており、裏表の高さ調節孔を適当な位置で合わせると、図６に示すように、下部フレーム１００Ｂの足の部分の内側にある係り止めピン１９１が高さ調節孔１９０に挟まれて固定され、高さ調節孔の外に突出された係り止めピンの末端部分をまた内側に押し入れることで、上部フレームの足の部分を下部フレームの足の部分に対して上下方向にスライド移動させることができる。
【００５７】
＜第３の実施例＞
添付の図５は、本発明の第３の実施例に係る動作不自由者用の風呂椅子の構成を示す分解斜視図であり、図６は、図５の縦断面図である。
【００５８】
第２の実施例に比べて、ガイドレール２２０側にあった係り止め突起２２１はなくなり、その代わりに、座板２３０側に係り止め突起２３１が新たに形成された点が違う。
【００５９】
この構成によると、座板を背もたれの前方に押す単純な操作により、この係り止め突起を媒介として座板とガイドレールとが互いに干渉を起こし、座板が押される方向に座板とガイドレールが何れも同時に引き出されることができる。
【００６０】
また、ガイドレールを背もたれの前方に抜き出したり、背もたれの方に容易に押し入れるように、座板の底面には、例えば、ガイドチャンネル部材２１０のチャンネル２１２と対応される部分に軸受け２５０が設けられている。
【００６１】
また、ガイドレールの引き出し方向を前方であるという場合、ガイドレールの前方の１／２地点または前方の２／３地点までは直線状であり、その後方（即ち、背もたれに近い側）には多少傾いている。この構成によると、ガイドレールをガイドチャンネル部材のチャンネルの内に押し入れることが更に容易になる。
【００６２】
一方、ガイドレールの足の末端部分に係り止め突起を置いて、チャンネルの前方の末端にも係り止め突起を置いて、これらの係り止め突起の相互係り止め作用（離脱防止作用）によって、ガイドチャンネル部材のチャンネルからガイドレールが完全に抜け出さないようにすることが好ましい。
【００６３】
＜第４の実施例＞
添付の図９は、本発明の第４の実施例に係る動作不自由者用の風呂椅子の構成を示す縦断面図である。
【００６４】
第３の実施例に比べて、上下部フレームの四隅の足の部分で、高さ調節孔と係り止めピンがなくなった代わりに、上下部フレームの大略真ん中の位置に、下部連結管１９４を有する下部支持板１９２と、上部連結管１９５を有する上部支持板１９３と、が更に設けられた点が違う。
【００６５】
互いに重なり合っている下部連結管１９４と上部連結管１９５には、多数の高さ調節孔１９０が形成されており、また、下部連結管の内には係り止めピン１９１が設けられている。
【００６６】
＜変形例＞
添付の図７は、上述した第１の実施例から第４の実施例まで適用され得る形態であって、便器３００を挿入できるスライド２６０が座板２３０の底面に更に設けられていることが特徴である。
【００６７】
＜使用例＞
添付の図８Ａないし図８Ｅは、本発明の第１の実施例に係る動作不自由者用の風呂椅子の使用状態図であって、第２の実施例から第４の実施例までにも同様に適用され得る。
【００６８】
この技術分野において、通常の知識を持った者なら、これらの図面を通じて、寝床４００から風呂椅子へ、または風呂椅子から寝床へ、動作不自由者をどのように運べるのかが容易に予測可能であるはずなので、それに関する具体的な説明は省略する。
【符号の説明】
【００６９】
１００  一体型フレーム（ｏｎｅ−ｐｉｅｃｅ  ｆｒａｍｅ）
１００Ａ  組み立て式の上部フレーム（ｕｐｐｅｒ  ｆｒａｍｅ）
１００Ｂ  組み立て式の下部フレーム（ｌｏｗｅｒ  ｆｒａｍｅ）
１１０  肘掛け（ａｒｍｒｅｓｔ）
１２０  ハンドル（ｈａｎｄｌｅ）
１３０  前輪（ｆｒｏｎｔ  ｗｈｅｅｌ）
１４０  後輪（ｒｅａｒ  ｗｈｅｅｌ）
１５０  背もたれ（ｂａｃｋ  ｐｌａｔｅ）
１６０  頭台（ｈｅａｄｒｅｓｔ）
１７０  足場（ｆｏｏｔｒｅｓｔ）
１８０  ストッパー（ｓｔｏｐｐｅｒ）
１９０  高さ調節孔（ｈｏｌｅ）
１９１  係り止めピン（ｐｉｎ）
１９２  下部支持板（ｌｏｗｅｒ  ｓｕｐｐｏｒｔｉｎｇ  ｐｌａｔｅ）
１９３  上部支持板（ｕｐｐｅｒ  ｓｕｐｐｏｒｔｉｎｇ  ｐｌａｔｅ）
１９４  下部連結管（ｌｏｗｅｒ  ｐｉｐｅ）
１９５  上部連結管（ｕｐｐｅｒ  ｐｉｐｅ）
２００  座板組立体（ｓｅａｔ  ａｓｓｅｍｂｌｙ）
２１０  ガイドチャンネル部材（ｇｕｉｄｅ  ｃｈａｎｎｅｌ  ｍｅｍｂｅｒ）
２１１  ガイド溝（ｇｕｉｄｅ  ｇｒｏｏｖｅ）
２１２  チャンネル（ｃｈａｎｎｅｌ）
２２０  ガイドレール（ｇｕｉｄｅ  ｒａｉｌ）
２２１  係り止め突起（ｐｒｏｊｅｃｔｉｏｎ）
２３０  座板（ｓｅａｔ  ｐｌａｔｅ）
２３１  係り止め突起（ｐｒｏｊｅｃｔｉｏｎ）
２３２  側壁（ｓｉｄｅ  ｗａｌｌ）
２３３  ガイド突起（ｇｕｉｄｅ  ｐｒｏｔｒｕｓｉｏｎ）
２３４  開口（ｏｐｅｎｉｎｇ）
２３５  支持リム（ｓｕｐｐｏｒｔ  ｒｉｍ）
２３６  固定溝（ｆｉｘｉｎｇ  ｓｌｏｔ）
２３７  環状の軸受け板（ｒｉｎｇ  ｔｙｐｅ  ｂｅａｒｉｎｇ  ｐｌａｔｅ）
２３８  回転板（ｒｏｔａｔｉｎｇ  ｐｌａｔｅ）
２３９  排水兼用の排便孔（ｄｒａｉｎ  ｈｏｌｅ）
２４０  固定具（ｌｏｃｋ）
２５０  軸受け（ｂｅａｒｉｎｇ）
２６０  スライド（ｓｌｉｄｅ）
３００  便器（ｂｅｄｐａｎ）
４００  寝床（ｂｅｄ）
【図１】
2016517713.tif 000003
【図２】
2016517713.tif 000004
【図３】
2016517713.tif 000005
【図４】
2016517713.tif 000006
【図５】
2016517713.tif 000007
【図６】
2016517713.tif 000008
【図７】
2016517713.tif 000009
【図８Ａ】
2016517713.tif 000010
【図８Ｂ】
2016517713.tif 000011
【図８Ｃ】
2016517713.tif 000012
【図８Ｄ】
2016517713.tif 000013
【図８Ｅ】
2016517713.tif 000014
【図９】
2016517713.tif 000015
【国際調査報告】
2016517713.tif 000016
2016517713.tif 000017
2016517713.tif 000018
2016517713.tif 000019